(57)【特許請求の範囲】
【請求項１】
内視可能なショーケースと、展示品を載置する展示台と、前記展示台を昇降する展示台昇降機構と、該展示台が収納される保管部と、一枚構造の防盗シャッターを前記保管部上面に閉鎖及び垂直状態となる収納位置に移動させる防盗シャッター機構とを具備する展示装置において、
前記防盗シャッター機構は、
前記防盗シャッターと回動可能に結合し、前記保管部内の垂直方向に案内するガイドレールに沿って昇降する移動手段と、
一端を前記保管部内のフレームに回動可能に軸支され、他端を前記前記防盗シャッターに結合された揺動部に回動可能に軸支される支持棒とを有し、
前記移動手段が前記ガイドレールに沿って上昇することによって前記防盗シャッターを垂直方向に移動させ、前記防盗シャッターと前記支持棒とのなす角度が鋭角状態に前記一端、他端、移動手段が回動し、前記防盗シャッターを前記フレーム側に移動させることにより前記保管部上面を閉鎖させることを特徴とした展示装置。
【請求項２】
更に、前記ショーケースに展示品を出し入れするための開口部の閉鎖状況を検知する閉鎖検知部と、
前記展示台昇降機構および前記防盗シャッター機構を前記閉鎖検知部が前記開口部の閉鎖を検知している場合にのみ駆動可能とする制御部とを有したことを特徴とする請求項１記載の展示装置。
【請求項３】
更に、前記防盗シャッターは、前記保管部上面にて前記保管部と閉鎖結合する結合手段を有したことを特徴とする請求項１または２に記載の展示装置。
【発明の詳細な説明】
【０００１】
【発明の属する技術分野】
本発明は、展示品を展示する展示装置において、特に閉店時には展示品の盗難を防止する展示装置に関する。
【０００２】
【従来の技術】
従来の展示装置は、展示品をいかに見易く展示するかを主眼においており、防盗に関しては、あまり注意が払われていなかった。そこで、展示品を保護するために、特公平６−８７８１９号公報で示される耐火展示ケースが提案されている。この耐火展示ケースは、展示ケースを耐火防禦層で囲い、一部を可動耐火防禦層とし、展示するときには該展示ケースが露呈される位置に前記可動耐火防禦層を移動して開放し、展示が終了すると該展示ケースが耐火防禦層で囲まれる位置に移動して閉鎖する様に構成されている。
【０００３】
また、特開平８−３３６４４９号公報で示される展示ケースが提案されている。この展示ケースでは、昇降可能な載置台と、屈曲可能なシャッタを有し、展示が終了すると、載置台が下降し、その上面を屈曲可能なシャッタが移動して閉鎖する様に構成されている。
【０００４】
【発明が解決しようとする課題】
しかしながら、上記の耐火展示ケースは、一対の可動耐火防禦層が回転することにより展示ケースを露呈または囲う構造であるので、耐火展示ケースが複雑化し大型化するという問題点があった。
【０００５】
また、屈曲可能なシャッタで閉鎖する展示ケースでは、複数の単位部材を多数連接してシャッタを構成し、このシャッタがガイドレールに案内されて移動するようになっている。したがって、閉鎖時にシャッターの単位部材間をこじ開けられる恐れがあるので、防盗性を確保するため単位部材同士およびガイドレールを十分に補強する必要があり、やはり構造が複雑化するという問題点があった。
【０００６】
本発明は、上述した問題点を解決するためになされたもので、閉店時には展示品を保管部に収納し、簡易な構造で十分な防盗性を備えた展示装置を提供することを目的としている。
【０００７】
【課題を解決するための手段】
この目的を達成するために、本発明は、内視可能なショーケースと、展示品を載置する展示台と、前記展示台を昇降する展示台昇降機構と、該展示台が収納される保管部と、一枚構造の防盗シャッターを前記保管部上面に閉鎖及び垂直状態となる収納位置に移動させる防盗シャッター機構とを具備する展示装置において、前記防盗シャッター機構は、前記防盗シャッターと回動可能に結合し、前記保管部内の垂直方向に案内するガイドレールに沿って昇降する移動手段と、一端を前記保管部内のフレームに回動可能に軸支され、他端を前記前記防盗シャッターに結合された揺動部に回動可能に軸支される支持棒とを有し、前記移動手段が前記ガイドレールに沿って上昇することによって前記防盗シャッターを垂直方向に移動させ、前記防盗シャッターと前記支持棒とのなす角度が鋭角状態に、前記一端、他端、移動手段が回動し、前記防盗シャッターを前記フレーム側に移動させることにより前記保管部上面を閉鎖させる展示装置を提供する。
【０００８】
また、更に、前記ショーケースに展示品を出し入れするための開口部の閉鎖状況を検知する閉鎖検知部と、前記展示台昇降機構および前記防盗シャッター機構を前記閉鎖検知部が前記開口部の閉鎖を検知している場合にのみ駆動可能とする制御部とを有した展示装置を提供する。

【０００９】
更に、前記防盗シャッターは、前記保管部上面にて前記保管部と閉鎖結合する結合手段を有した展示装置を提供する。
【００１２】
【作用】
第一の発明によれば、防盗シャッターと結合する移動手段がガイドレールに沿って上昇すると、この上昇に対応して支持棒が回動する。防盗シャッターは、該移動手段が防盗シャッターに回動可能に固設されていると共に揺動部が該支持棒の回動に沿って回動する。こうして防盗シャッターは保管部上面を閉鎖することとなる。したがって、防盗シャッターを収納する収納区画の短手方向の幅は狭くて済み、展示装置が大型化するというような問題も解決できる。
【００１３】
また、第二の発明によれば、ショーケースの扉が閉鎖していることを条件に展示品を載置した展示台および防盗シャッターを駆動するので、展示台や防盗シャッターに手や指を挟まれる危険性が無い。
【００１４】
更に、防盗シャッターが、一枚構造で形成され、保管部上面にて保管部と閉鎖結合するので破壊等がされにくく防盗性が極めて高い。
【００１６】
【発明の実施の形態】
【実施例】
本発明の展示装置を図面に基づいて詳細に説明する。
【００１７】
図１及び図２は、本発明による展示装置の正面図と背面図である。展示装置１は、営業時間中には展示品を視認可能とする例えば透明ガラスで構成されたショーケース２と、閉店時には展示品を収納保管する保管部３とを有して構成される。ショーケース２は、背面では２枚のガラス戸４と、２枚のガラス戸４を閉鎖したときロックするプッシュロック錠４１を有している。
【００１８】
尚、ガラス戸４が開放されたときオフし、完全に閉鎖されたときにオンする図示しない閉鎖検知部例えばリミットスイッチが設けられている。保管部３は、背面にスイング扉である操作部扉５、この操作部扉５を閉鎖するシリンダー錠５１、スイング扉であるメンテナンス扉６、このメンテナンス扉６を施錠するシリンダー錠６１及び操作部扉５とメンテナンス扉６の中央に位置する固定フレーム７とを有して構成される。
【００１９】
図３は、本発明による展示装置１の背面から見た主要部を透視した図である。操作部扉５の内側には、展示品を載置する後述する展示台９１を上昇、降下及び停止すると共に、防盗シャッター１０１を閉鎖、収納及び停止する各操作スイッチ５２１を備えた操作パネル５２が設置されている。又、扉内カバー２１（図１３）の内側に制御部８が設置されている。従って、この扉内カバー２１を取外さない限り、制御部８に触れることができない。展示品を載置する展示台９１とこの展示台９１の下側に配設され、展示台を上昇または降下させる展示台昇降機構９が設けられている。営業時間帯には、展示装置の正面手前面に収納保管される防盗シャッター１０１と、両側面にこの防盗シャッター１０１と結合し、この防盗シャッター１０１を閉鎖及び収納する防盗シャッター機構１０が各々設けられている。
【００２０】
次に図４に基づいて展示台昇降機構９を説明する。展示台昇降機構９は、展示品を載置する展示台９１と、展示装置の底辺に固定されるベース９２との間を接続するアーム９４Ａおよびアーム９４ＢからなるＸ状の２個の支持部材９４と、支持部材９４のアーム９４Ａ、アーム９４Ｂ間を結合するパワーシリンダー９３を有して構成される。アーム９４Ａとアーム９４ＢはＸ状に組み合わされ、アーム９４Ａの一端はベースに回動可能に接続され、アーム９４Ｂの一端は、ベース９２上を摺動可能となっている。図４ａは、営業時間帯の展示台９１の位置を示し、即ち、パワーシリンダー９３の可動軸が伸張され、ベース９２に結合したアーム９４Ｂの一端が右側に移動し展示台９１を上昇させている。図４ｂは閉店時の展示台９１の位置を示し、即ち、支持部材９４のアーム９４Ｂの一端がベース９２に沿って端部へ移動している。
【００２１】
次に、図５に基づき防盗シャッター機構１０の作用動作を説明する。尚、説明を簡単にする為、図５は、ショーケース２を割愛し、保管部２のみの図とした。
【００２２】
図５ａは、防盗シャッター１０１が保管部２に収納されている状態を示し、図５ｂは、防盗シャッター１０１が保管部２の上面を閉鎖すべく回動している状態を示し、図５ｃは、防盗シャッター１０１が保管部２を閉鎖した状態を示している。防盗シャッター機構１０は、防盗シャッター１０１と、防盗シャッター１０１と固定接続する固定片１０２と、該固定片と図示しないシャフトで接続された移動部１０３と、該移動部１０３が上昇、降下するガイドレール１０４と、防盗シャッター１０１の略中央部に接続され回動可能な揺動部１０５と、フレーム１０６と接続する支持棒１０７とを有して構成されている。また、ガイドレール１０４の下部には図示しないモーターが設けられ、ガイドレールの内部には図示しないネジシャフトが挿入され該モーターと結合している。尚、移動部１０３は、図示しない雌ネジ部を有しネジシャフトと螺合している。ここで移動手段とは、固定片１０２と、移動部１０３及び図示しないシャフトを有して構成される。
【００２３】
尚、該モーターに電圧を印可することにより電流が流れ、図示しないネジシャフトが回転し、ネジシャフトの回転方向にしたがって移動部１０３がガイドレール１０４に沿って上昇または下降する。ここで、防盗シャッター１０１が所定位置即ち収納区画１１０に収納（図５ａ）されているときには、支持棒１０７と防盗シャッター１０１とは垂直状態となっている。図示しないモーターの電圧印加により図示しないネジシャフトが回転され、移動部１０３がガイドレール１０４に沿って上昇（図５ｂ）するときには、支持棒１０７がフレーム１０６との回転軸１０８を中心に回動し、移動部１０３の上昇に従い固定片１０２が移動部１０３と接続された図示しないシャフトを回転軸１０９として回動している。
【００２４】
更に、揺動部１０５は、移動部１０３の上昇につれて防盗シャッター１０１、支持棒１０７との角度を鋭角状態に回動している。尚、防盗シャッター１０１の収納移動については、モーターの電圧印加により、図示しないネジシャフトが逆に回転することで移動部１０３がガイドレール１０４に沿って下降する。このような構成即ち防盗シャッター１０１と移動手段を回動固設すると共に揺動部１０５を回動可能にすることで収納区画１１０の短手方向の幅を狭くすることを可能にしている。
【００２５】
次に図６を参照して、防盗シャッター１０１がショーケース２と保管部３との間を閉鎖結合する構造を説明する。図６は、保管部３上部を防盗シャッター１０１が閉鎖した状態を示すの斜視図である。保管部３の内側には、後述する結合手段即ちカム１１３で結合する長孔１１１が長手側面に３箇所づつ設けられている。防盗シャッター１０１の裏面には、走り金具１１２が設けられ、所定位置に６ヶのカム１１３が設けられいる。また、走り金具１１２の所定箇所に、走り金具１１２を長手側面と平向して移動させるレバー１１４が設けられている。該レバー１１４を長手側面に平行して引張ると、カム１１３が起き上がり、防盗シャッター１０１の側面に設けられた長孔１１５及び保管部２の内側に設けられた長孔１１１を介して、カム１１３が掛けられる。こうして防盗シャッター１０１は閉鎖結合される。防盗シャッター１０１を保管部３の収納区画１１０に格納する際には、レバー１１４を逆方向に引張り、カム１１３を解除する。
【００２６】
次に図７から図１２を参照して、本発明による展示装置１の動作作用を詳細に説明する。まず、図７ａは、営業時間帯における展示装置１の外観図であり、図７ｂは、展示台が下降する状態を示す図であり、図７ｃは、防盗シャッター１０１が閉鎖される状態を示した図である。図８は、展示台を下降するときの動作フロー図であり、図９は、防盗シャッター１０１を閉鎖するときの動作フロー図である。図１０は、防盗シャッター１０１を収納区画１１０に格納するときの動作フロー図であり、図１１は、展示台９１を上昇するときの動作フロー図である。図１２は、制御部８の機能ブロック図である。
【００２７】
展示品はショーケース２内の展示台に載置されている。顧客は営業中、ショーケース２内の展示品を透明ガラスを介して視認することができる。このとき、防盗シャッター１０１は保管部３内の手前長手側面に形成される収納区画１１０に格納されている。また、ショーケース２は、通常、ガラス戸４及びプッシュロック錠４１で閉鎖されている。
【００２８】
従って、顧客からの要望などにより、展示品を取り出す際には、店員はプッシュロック錠４１を開錠し、ガラス戸４を開ける。尚、ガラス戸４が完全に閉鎖されているときには図示しないリミットスイッチがオン動作している。尚、本実施例においては、ガラス戸４が２枚あるのでリミットスイッチが２個設けられている。
【００２９】
次に、閉店時には、店員はシリンダー錠５１を開錠し、操作部扉５を手前に回動させて、内部に設けられた操作パネル５２の展示台９１の下降スイッチをオン動作する（ステップＳ１）。ガラス戸４が完全に閉鎖されていると、図示しないリミットスイッチがオン動作している（ステップＳ２）。ガラス戸４が開いていると当該リミットスイッチはオフ動作となり、展示台９１は下降しない。これはガラス戸４が開いていると、手、指等を展示装置１内に挿入したまま展示台が下降すると指や手を挟まれて怪我をしたり、傷付けること恐れがあり、これをを防止する為である。
【００３０】
ガラス戸４が完全に閉鎖され、リミットスイッチがオン動作しており、更に、防盗シャッタ−１０１が所定位置に収納され図示しない防盗シャッタ−収納リミットスイッチがオンしている（ステップＳ３）ことを条件に下降スイッチが押されている限り、展示品を載置した展示台９１が下降する（ステップＳ４及び図７ｂ）。つまり図１２によると、アンドゲート８０８、８１０に出力が生じ展示台下降スイッチ押下しているのでアンドゲート８１３にも出力が生じ、後述する展示台下降駆動手段８１４が動作し、展示台９１が下降する。
【００３１】
展示台９１が所定位置まで下降すると、図示しない展示台下限リミットスイッチがオン動作し、アンドゲート８１０、８１３の出力が停止し、展示台下降駆動手段８１４による展示台９１の下降を停止する。
【００３２】
次に、防盗シャッター１０１を閉鎖する為、操作パネル５２の防盗シャッター１０１の閉鎖スイッチを操作する（ステップＳ１１）。
【００３３】
展示台９１が所定の下限位置にあることを示すリミットスイッチのオン動作（ステップＳ１２）とガラス戸４のリミットスイッチがオン動作（ステップＳ１３）を条件に、防盗シャッターが閉鎖完了してリミットスイッチがオンするまでは、閉鎖スイッチを押している限り、防盗シャッター１０１は、上述の図５で説明した通り上昇回動する（ステップＳ１４及び図７ｃ）。つまり、図１２によれば、アンドゲート８０４、８０５の出力が生じ、防盗シャッタ−閉鎖スイッチを押下しているのでアンドゲート８０６にも出力が生じ、防盗シャッター閉鎖駆動手段８０７が駆動する。
【００３４】
防盗シャッター１０１が所定位置まで上昇すると防盗シャッター１０１の閉鎖リミットスイッチがオン動作して、アンドゲート８０５、８０６の出力が停止し、防盗シャッタ−閉鎖駆動手段８０７は停止する（ステップＳ１５、Ｓ１６）。
【００３５】
そして、図６で説明したように、レバー１１４を操作する（ステップＳ１７）と走り金具１１２が移動し、カム１１３が起き上がり、長孔１１５及び長孔１１１を介して、保管部２の側面と閉鎖結合した状態になる。 こうして、展示品は、保管部２内に格納され、外側から展示品を視認することはできない。
【００３６】
また、窃盗者がショーケース２を破壊しても、防盗シャッター１０１が保管部２の上面をカム１１３で閉鎖しており、展示品が盗まれることはない。尚、防盗シャッター１０１は１枚構造で形成されており、蛇腹などに比べて耐破壊性が高い。
【００３７】
次に、開店時にはシリンダー錠５１を開錠し、操作部扉５を開けて、レバー１１４を逆方向に引張り、走り金具１１２を移動させてカム１１３を解除する。（ステップＳ２１）
次に、操作パネル５２上の防盗シャッター１０１の収納スイッチを操作する。（ステップＳ２２）ガラス戸４の閉鎖状況を示すリミットスイッチがオン動作（ステップＳ２３）しており、更に、展示台下限リミットスイッチがオン動作していれば、防盗シャッター開放スイッチをオン動作している限り、防盗シャッター１０１が収納区画１１０に収納されるまでは防盗シャッター１０１が図５で説明したように回動下降し、つまり、アンドゲート８０１、８０２、８０４の出力が生じ、防盗シャッター開放駆動手段８０３を駆動する。こうして、防盗シャッター１０１は開放し保管部３内の収納区画１１０に格納される。防盗シャッター１０１が所定位置に格納されると図示しないリミットスイッチがオン動作（ステップＳ２６）し、アンドゲート８０１、８０２の出力が停止し、防盗シャッター開放駆動手段８０３の動作が停止する。（ステップＳ２７）
次に、同様に、操作パネル５２上の展示台９１の上昇スイッチを操作（ステップＳ３１）する。防盗シャッター１０１が収納区画１１０に収納されて図示しないリミットスイッチがオン動作をしており（ステップＳ３２）、ガラス戸４の閉鎖を示すリミットスイッチがオン動作（ステップＳ３３）しているとアンドゲート８０８の出力を生じ、展示台上限リミットスイッチがＯＮするまでは、上昇スイッチを操作し続けている限り、展示台上昇駆動手段８１２が動作して、展示台９１は上昇する。
【００３８】
展示台９１が所定位置まで上昇すると図示しないリミットスイッチがオン動作（ステップＳ３５）し、アンドゲート８０９、８１１の出力が停止し、展示台上昇駆動手段８１２が動作停止し展示台９１の上昇が完了する。
【００３９】
次に、図１３を参照して、操作部扉５の構造を説明する。図１３は図２のＡ−Ｂ断面の平面図である。操作部扉５はシリンダー錠５１を有し、防盗性を高める為に保管部３との間の隙間を目板５３で覆っている。また、蝶番５５は、操作部扉５の内側に設け、外側から見えない位置にしている。このように、蝶番５５が破壊の対象とするには困難な構造としている。更に詳細に言えば、操作部扉５を固定フレーム７側と互いにコの字状に組み合わせ、このコの字状で形成される区画に蝶番を設けた構造としている。操作部扉５の蝶番側には、固定ダボ５４を設け、仮に窃盗者により蝶番５５が破壊されたとしても、固定ダボ５４が固定フレーム７と接触して操作部扉５が取り出せない構造としている。操作部扉５を手前に開けると、操作パネル５２が設けられている。また、展示台９１が昇降する内側は、扉内カバー２１がネジ止め等で固設されている。従って展示品は扉カバー２１の内側に保管されており、閉店時には展示品を取り出すことができない。尚、防盗シャッター１０１が閉鎖結合されているとき、防盗シャッター１０１の裏面に設けられたレバー１１４は、扉内カバー２１の上部に位置するので、操作部扉５を開ければ、操作可能である。
【００４０】
本実施例によれば、防盗シャッター１０１の閉鎖方法として、防盗シャッター１０１の裏側に設けられた走り金具１１２、カム１１３で発明したが、防盗シャッター１０１の所定位置に長孔を設け、保管部２の内側周辺に走り金具１１２と、走り金具の移動により動作するカム１１３または凸部が防盗シャッター１０１の長孔に引掛けまたは挿入されるようにしてもよい。
【００４１】
【発明の効果】
本発明によれば、営業中に収納される防盗シャッターの収納区画の短手方向の幅を狭くすることができ、展示装置の大型化を阻止できる。また、防盗シャッターが保管部上面に閉鎖結合できる構造としたので防盗性が高まった。更に操作部扉と固定フレームの構造により、操作部扉の取外しを困難としたので防盗性が高まった。
【００４２】
更に、ショーケースの扉が開放していると、操作スイッチを操作しても、防盗シャッター開閉および展示台の昇降動作が駆動しないようにしたので、ショーケース内に手や指を入れたまま操作して手や指を挟む危険性がない。
【００４３】
【図面の簡単な説明】
【図１】本発明による展示装置の正面図
【図２】本発明による展示装置の背面図
【図３】本発明による展示装置の主要部を透視した斜視図
【図４】展示台昇降機構の外観図
【図５】保管部のＣ−Ｄ断面図
【図６】保管部の上部を防盗シャッターが閉鎖している状態を示した斜視図
【図７】本発明による展示装置の使用状態を示した図
【図８】展示台の下降動作を示したフロー図
【図９】防盗シャッターの閉鎖動作を示したフロー図
【図１０】防盗シャッターの収納動作を示したフロー図
【図１１】展示台の上昇動作を示したフロー図
【図１２】制御部の機能ブロック図
【図１３】保管部のＡ−Ｂ断面図
【符号の説明】
１…展示装置
２…ショーケース
３…保管部
４…ガラス戸
４１…プッシュロック錠
５…操作部扉
５１…シリンダー錠
５２…操作パネル
５２１…操作スイッチ
５３…目板
５４…固定ダボ
５５…蝶番
６…メンテナンス扉
６１…シリンダー錠
７…固定フレーム
８…制御部
８０１，８０２，８０４〜８０６，
８０８〜８１１，８１３…アンドゲート
８０３…防盗シャッター開放駆動手段
８０７…防盗シャッター閉鎖駆動手段
８１２…展示台上昇駆動手段
８１４…展示台下降駆動手段
９…展示台昇降機構
９１…展示台
９２…ベース
９３…パワーシリンダー
９４…支持部材
９４Ａ，９４Ｂ…アーム
１０…防盗シャッター機構
１０１…防盗シャッター
１０２…固定片
１０３…移動部
１０４…ガードレール
１０５…揺動部
１０６…フレーム
１０７…支持棒
１０８，１０９…回転軸
１１０…収納区画
１１１，１１５…長孔
１１２…走り金具
１１３…カム
１１４…レバー
【図１】
0003830257.tif 000002
【図２】
0003830257.tif 000003
【図３】
0003830257.tif 000004
【図４】
0003830257.tif 000005
【図５】
0003830257.tif 000006
【図６】
0003830257.tif 000007
【図７】
0003830257.tif 000008
【図８】
0003830257.tif 000009
【図９】
0003830257.tif 000010
【図１０】
0003830257.tif 000011
【図１１】
0003830257.tif 000012
【図１２】
0003830257.tif 000013
【図１３】
0003830257.tif 000014